(57)【要約】【課題】空気調和機で生成された冷・温風の空調エアを使用した全空気方式床冷暖房装置を提供する。【解決手段】空気調和機４により生成された冷・温風の空調エアを通気空間５に送気して、該通気空間５に送気された空調エアと、吹付け手段６により高速で吹付けられた空調エアとにより、パネルボード３を冷却または加温して、該パネルボード３からの冷気または暖気を部屋Ｒに放射する床放射冷暖房システムと、前記パネルボード３の端部に設けられたグリル７より、前記通気空間５に送気された空調エアを部屋Ｒに吹出して、部屋Ｒを冷却または加温する床吹出し冷暖房システムを組合わせると共に、前記部屋Ｒに吹出して部屋Ｒを冷房または暖房した後の冷・温風を空気調和機４が吸引して、再利用する。【選択図】図１
2004232989.tif 000002
【特許請求の範囲】
【請求項１】
部屋の下面に設けられたスラブ上に所定間隔を有して複数本複数列に亘って立設された間隔保持体上に、床面となるパネルボードを載置固定して、該間隔保持体により前記スラブとパネルボード間に、空気調和機から送気された冷・温風の空調エアの通気空間を形成する一方、
前記空調エアの一部を給気して前記パネルボード下面に流速を早めて吹付けると共に、前記通気空間内において空調エアを乱流させる吹付け手段を、前記スラブ上に所定間隔を有して複数個複数列に亘って設置固定して、前記通気空間を流通する空調エアと、前記吹付け手段によりパネルボードに吹付けられた空調エアにより、パネルボードを下面より冷却または加温して、該パネルボードから冷気または暖気を部屋に放射する床放射冷暖房システムと、
前記通気空間に送気された冷・温風の空調エアを部屋の端部に設置されたグリルから吹出して、部屋を冷却または加温する床吹出し冷暖房システムとを組合せて構成され、
更に、前記グリルを介して部屋に吹出して、該部屋を冷房または暖房した後の空調エアを、前記空気調和機が吸引して再利用するようにしたことを特徴とする全空気方式床冷暖房装置。
【請求項２】
吹付け手段は、上端に小径の排気口を備えた截頭円錐形状筒体の周壁の一部に、通気空間の空調エアを該截頭円錐形状筒体内に給気すべく、給気開口を穿設すると共に、該給気開口の両側部にガイド片を、それぞれ外方へ拡開して突設固定して形成され、且つ前記吹付け手段は、スラブ上において、排気口とパネルボード間に間隔を有すると共に、空調エアの送気方向に給気開口を向けて設置固定したことを特徴とする請求項１記載の全空気方式床冷暖房装置。
【発明の詳細な説明】
【０００１】
【発明の属する技術分野】本発明は、空気調和機で生成された冷・温風の空調エアを使用した床放射冷暖房システムと床吹出し冷暖房システムとを組合せた全空気方式床冷暖房装置に関するものである。
【０００２】
【従来の技術】従来、空調による冷・温風を使用した床冷暖房システムと床吹出し冷暖房システムとを組合せた全空気方式床冷暖房装置は、実用に共されておらず、冷温水発生器を使用した床冷暖房装置として、例えば、特許第２６０２１９４号公報に開示されたものが公知であった。
【０００３】
【特許文献１】
［特許第２６０２１９４号公報］
【０００４】
【発明が解決しようとする課題】前記特許文献１に開示された冷暖房装置では、冷水および温水を生成する冷温水発生機を使用するので、該冷温水発生機を設置するスペースが必要であると共に、冷温水パイプを設置しなければならないので、設置費用が高価となり、また前記冷温水発生機を稼動するのにかなりの経費がかかり、極めて高価な冷暖房費となるという課題があった。
【０００５】本発明は、前記課題を解決すべくなされたもので、冷温水発生機を使用することなく、空気調和機により生成された冷・温風の空調エアを通気空間に送気して、パネルボードを冷却または加温して、該パネルボードからの冷気または暖気を部屋に放射する床放射冷暖房システムと、前記パネルボードの端部に設けられたグリルより、前記通気空間に送気された空調エアを部屋に吹出して、部屋を冷却または加温する床吹出し冷暖房システムを組合せると共に、前記部屋に吹出して部屋を冷却または加温した後の冷・温風を空気調和機に吸引して、再びこれを利用することにより、設備費用の軽減を図ると共に、冷暖房費の軽減を図ることができる全空気方式床冷暖房装置を提供しようとするものである。
【０００６】
【課題を解決するための手段】本発明は、部屋の下面に設けられたスラブ上に所定間隔を有して複数本複数列に亘って立設された間隔保持体上に、床面となるパネルボードを載置固定して、該間隔保持体により前記スラブとパネルボード間に、空気調和機から送気された冷・温風の空調エアの通気空間を形成する一方、
前記空調エアの一部を給気して前記パネルボード下面に流速を早めて吹付けると共に、前記通気空間内において空調エアを乱流させる吹付け手段を、前記スラブ上に所定間隔を有して複数個複数列に亘って設置固定して、前記通気空間を流通する空調エアと、前記吹付け手段によりパネルボードに吹付けられた空調エアにより、パネルボードを下面より冷却または加温して、該パネルボードから冷気または暖気を部屋に放射する床放射冷暖房システムと、
前記通気空間に送気された冷・温風の空調エアを部屋の端部に設置されたグリルから吹出して、部屋を冷却または加温する床吹出し冷暖房システムとを組合せて構成され、
更に、前記グリルを介して部屋に吹出して、該部屋を冷房または暖房した後の空調エアを、前記空気調和機が吸引して再利用するという手段を採用することにより、上記課題を解決した。
【０００７】
【発明の実施の形態】本発明の実施の形態を図面に基づいて詳細に説明すると、本発明全空気方式床冷暖房装置は、部屋Ｒの下面に設けられたスラブ１上に所定間隔を有して複数本複数列に亘って立設された間隔保持体２上に、床面となるパネルボード３を載置固定して、該間隔保持体２により前記スラブ１とパネルボード３間に、空気調和機４から送気された冷・温風の空調エアの通気空間５を形成する一方、前記空調エアの一部を給気して前記パネルボード３下面に流速を早めて吹付けると共に、前記通気空間５内において空調エアを乱流する作用をも有する吹付け手段６を、前記スラブ１上に所定間隔を有して複数個複数列に亘って設置固定し、前記通気空間５を流通する空調エアと、前記吹付け手段６によりパネルボード３に吹付けられた空調エアにより、パネルボード３を下面より冷却または加温して、該パネルボード３から冷気または暖気を部屋Ｒに放射する床放射冷暖房システムと、前記通気空間５に送気された冷・温風の空調エアを部屋Ｒの端部に設置されたグリル７から吹出して、部屋Ｒを冷却または加温する床吹出し冷暖房システムとを組合せて構成されている。
【０００８】前記パネルボード３は、特に限定する必要はないが、好ましくは各間隔保持体２上に載置固定された捨張合板８上に、木製のフローリング、あるいはプラスチックタイル等の床材９を一体に固定して形成することが推奨される。
【０００９】前記パネルボード３を上面に載置固定する間隔保持体２は、特に限定する必要はないが、好ましくは図２に示すように、スラブ１上に載置固定するベースプレート１０の上面に支持脚１１が立設されると共に、該支持脚１１上に、前記捨張合板８を上面に載置固定する保持プレート１２を取付けて形成することが推奨される。
【００１０】前記スラブ１上に間隔保持体２のベースプレート１０を固定する場合は、特に限定する必要はないが、好ましくは図２に示すように、アンカーボルト１３を使用して該スラブ１に固定し、また保持プレート１２上に捨張合板８を載置固定する場合は、特に限定する必要はないが、好ましくは、図２に示すように、固定ボルト１４を用いて固定することが推奨される。なお、図中、１５はスラブ１上に敷設されたグラスウール等の断熱材で、通気空間５の空調エアのスラブ１側への放冷・放熱を防止している。
【００１１】前記スラブ１上に所定間隔を有して複数本複数列に亘って立設固定された吹付け手段６は、特に限定する必要はないが、好ましくは図３・図４に示すように形成することが推奨される。すなわち、上端に小径の排気口１６を備えた截頭円錐形状筒体１７の周壁の一部、好ましくは３分の１程度の巾で、前記通気空間５の空調エアを該截頭円錐形状筒体１７内に給気するため、方形状の給気開口１８を穿設すると共に、該給気開口１８の両側部に更に多くの空調エアを給気するためのガイドとなるガイド片１９を、それぞれ外方へ拡開して突設固定して吹付け手段６が形成されている。
【００１２】そして、前記構成より成る吹付け手段６は、好ましくはスラブ１上において、５０ｃｍ２に１個ずつ、排気口１６とパネルボード３間に間隔を有すると共に、空調エアの送気方向に給気開口１８を向けて設置固定される。なお、前記吹付け手段６は、プラスチックス等により形成され、且つ該吹付け手段６のスラブ１上への固定方法は任意であり、図示していないが、例えば接着剤により固定してもよく、またビス止め等により固定してもよい。
【００１３】前記部屋Ｒの一方側の壁２０には、空気調和機４を装置する空気調和機室２１を備え、且つ該空気調和機４からの空調エアを通気空間５に送気する送気ダクト２２が、前記通気空間５の一方側端部に開口連通されている。
【００１４】図１の矢印で示すように、前記通気空間５内に送気された空気調和機４からの冷・温風の空調エアにより、下方部よりパネルボード３を冷却・加温すると共に、吹付け手段６に送気された冷・温風は、図２・図５の矢印で示すように、截頭円錐形状筒体１７上の小径の排気口１６から前記パネルボード３下面に吹付けられ、該パネルボード３を冷却または加温して、パネルボード３から冷気または暖気を床放射冷暖房システムを形成する。
【００１５】前記部屋Ｒの端部である他方側の壁２３側のパネルボード３には、前記通気空間５内に送気された空調エアを部屋Ｒ内に吹出す吹出し口２４が開口されると共に、該吹出し口２４の上方に送風筒２５を取付け、該送風筒２５の上方にスリット２６を多数開口したグリル７が形成されている。
【００１６】特に、前記グリル７は、他方側の壁２３に窓２６が設けられていて、該窓２６から外部の暖気や冷気が侵入するペリメータ部に設けることにより、該ペリメータ部の暖気や冷気を緩和する作用を有する。
【００１７】そして、前記部屋Ｒを冷却または加温した後の空気は、該空気調和機室２１の部屋Ｒ側に設けられた還流口２７を経て空気調和機４により空気調和機室２１に吸引されて再利用される。すなわち、前記グリル７から通気空間５の冷・温風を部屋Ｒに吹出して、該部屋Ｒを冷房または暖房する床吹出し冷暖房システムを形成する。
【００１８】前記構成より成る本発明全空気方式床冷暖房装置を用いて部屋Ｒを冷房する場合について説明する。先ず、空気調和機４により生成された冷風を送気ダクト２２を介して通気空間５内に送気すると、該通気空間５内に送気された冷風がパネルボード３を下面より冷却すると共に、前記通気空間５内に送気された冷風の一部が、スラブ１上に複数個複数列に亘って立設固定された吹付け手段６の給気開口１８より給気されると共に、該給気開口１８の外側に突設されたガイド片１９によって更に多くの冷風が吹付け手段６内に給気される。
【００１９】そして、前記給気開口１８より給気された冷風は、截頭円錐形状筒体１７の内周壁面に沿って上昇し、下方よりその径が小径となって絞られている排気口１６より流速を早めて上方へ排気されて、パネルボード３の下面に吹付け、該パネルボード３を更に冷却する。そして、更に、前記通気空間５内に多数の吹付け手段６が立設されることにより、該通気空間５内に送気された冷風は、該各吹付け手段６によって通気が邪魔されて、通気空間５内において冷風が乱流し、該冷風が通気空間５全体に均一に流れ、パネルボード３の冷却効果を更に高める。
【００２０】前記通気空間５に送風された冷風によりパネルボード３を下面より冷却し、該冷却されたパネルボード３からの冷気がパネルボード３から部屋Ｒに放射され、部屋Ｒを冷却する床放射冷房システムを形成する。
【００２１】更に、前記通気空間５内に送気された冷風は、部屋Ｒの端部に設けられたグリル７から部屋Ｒに吹出して、該部屋Ｒを冷房する床吹出し冷房システムを形成する。そして、更に、前記部屋Ｒに吹出して部屋Ｒを冷房した後の使用済み冷風は、還流口２７を経て空気調和機４により空気調和機室２１に吸引されて再利用される。
【００２２】すなわち、通気空間５内に送気された冷風によりパネルボード３を冷却して、該パネルボード３から冷気を部屋Ｒに放射する床放射冷房システムと、前記冷風をグリル７より部屋Ｒに吹出して部屋Ｒを冷房する床吹出し冷房システムとの組合せにより、部屋Ｒが冷房される。
【００２３】前記構成より成る本発明全空気方式床冷暖房装置を用いて部屋Ｒを暖房する場合について説明する。先ず、空気調和機４により生成された暖風を送気ダクト２２を介して通気空間５内に送気すると、該通気空間５内に送気された暖風がパネルボード３を下面より加温すると共に、前記通気空間５内に送気された暖風の一部が、スラブ１上に複数個複数列に亘って立設固定された吹付け手段６の給気開口１８より給気されると共に、該給気開口１８の外側に突設されたガイド片１９によって更に多くの暖風が吹付け手段６内に給気される。
【００２４】そして、前記給気開口１８より給気された暖風は、截頭円錐形状筒体１７の内周壁面に沿って上昇し、下方よりその径が小径となって絞られている排気口１６より流速を早めて上方へ排気されて、パネルボード３の下面に吹付け、該パネルボード３を更に加温する。そして、更に、前記通気空間５内に多数の吹付け手段６が立設されることにより、該通気空間５内に送気された暖風は、該各吹付け手段６によって通気が邪魔されて、通気空間５内において温風が乱流し、該温風が通気空間５全体に均一に流れ、パネルボード３の加温効果を更に高める。
【００２５】前記通気空間４に送風された暖風によりパネルボード３を下面より加温し、該加温されたパネルボード３からの暖気がパネルボード３から部屋Ｒに放射され、該部屋Ｒを暖房する床放射暖房システムを形成する。
【００２６】更に、前記通気空間５内に送気された暖風は、部屋Ｒの端部に設けられたグリル７から部屋Ｒに吹出して、部屋Ｒを暖房する床吹出し暖房システムを形成する。そして、更に、前記部屋Ｒに吹出して部屋Ｒを暖房した後の使用済み暖風は、還流口２７を経て空気調和機４により空気調和機室２１に吸引されて再利用される。
【００２７】すなわち、通気空間５内に送気された暖風によりパネルボード３を加温して、該パネルボード３から暖気を部屋Ｒに放射する床放射暖房システムと、前記暖風をグリル７より部屋Ｒに吹出して部屋Ｒを暖房する床吹出し暖房システムとの組合せにより、部屋Ｒが暖房される。
【００２８】
【発明の効果】本発明は上述のようであるから、空気調和機により生成された冷・温風の空調エアを通気空間に送気すると共に、該通気空間に送気された空調エアを吹付け手段により高速でパネルボードに吹付け、該パネルボードを冷却または加温して、該パネルボードからの冷気または暖気を部屋に放射する床放射冷暖房システムと、前記パネルボードの端部に設けられたグリルより、前記通気空間に送気された空調エアを部屋に吹出して、部屋を冷却または加温する床吹出し冷暖房システムを組合せたので、冷暖房効率がよく、更に、部屋に吹出して部屋を冷却または暖房した後の冷・温風を空気調和機が吸引して、再びこれを利用することにより、設備費用の軽減を図ると共に、冷暖房費の軽減を図ることができるのである。
【図面の簡単な説明】
【図１】本発明全空気方式床冷暖房装置の全体の概略縦断面図である。
【図２】本発明全空気方式床冷暖房装置における要部の概略縦断面図である。
【図３】本発明全空気方式床冷暖房装置を構成する吹付け手段の斜視図である。
【図４】本発明全空気方式床冷暖房装置を構成する吹付け手段の断面図である。
【図５】本発明全空気方式床冷暖房装置において、複数の吹付け手段をスラブ上に設置固定した状態を示す平面図である。
【符号の説明】
Ｒ  部屋、  １
スラブ、  ２  間隔保持具、  ３  パネルボード、  ４  空気調和機、  ５  通気空間、  ６  吹付け手段、  ７  グリル、  １６  排気口、  １７  截頭円錐形状筒体、  １８  給気開口、  １９  ガイド片。
【図１】
2004232989.tif 000003
【図２】
2004232989.tif 000004
【図３】
2004232989.tif 000005
【図４】
2004232989.tif 000006
【図５】
2004232989.tif 000007